(57)【要約】【課題】簡便かつ直観的に活動量を把握できる技術を提供する。【解決手段】活動量計１は、酸化還元色素および溶媒を含む第一液相１０を備える活動量検出体１０１と、空気１１と、活動量検出体１０１および空気１１を密閉し、活動量検出体１０１を外部から視認するための視認領域が設けられた外装体２０と、を備え、活動により、酸化還元色素と酸素ガスとが反応し、活動量検出体１０１の色調が変化する。【選択図】図１
2015077195.tif 000002
【特許請求の範囲】
【請求項１】
酸化還元色素および溶媒を含む第一液相を備える活動量検出体と、
酸素を含む気体と、
前記活動量検出体および前記酸素を含む気体を密閉し、前記活動量検出体を外部から視認するための視認領域が設けられた外装体と、
を備え、
活動により、前記酸化還元色素と前記酸素を含む気体とが反応し、前記活動量検出体の色調が変化する、活動量計。
【請求項２】
請求項１に記載の活動量計において、
前記活動量検出体は、前記酸化還元色素が還元されることで前記活動前の色調に戻る、活動量計。
【請求項３】
請求項１または２に記載の活動量計において、
前記活動量検出体は、さらに、還元剤を含む、活動量計。
【請求項４】
請求項１乃至３いずれか一項に記載の活動量計において、
前記活動量検出体は、さらに、増粘剤を含む、活動量計。
【請求項５】
請求項１乃至４いずれか一項に記載の活動量計において、
前記活動量検出体は、さらに、アルカリ剤を含む、活動量計。
【請求項６】
請求項１乃至５いずれか一項に記載の活動量計において、
前記酸化還元色素が、チアジン系、オキザリン系、ラクトン系、サルトン系、アゾ系、インジゴイド系、アントラキノン系、トリフェニルメタン系、及びフェナントロリン誘導体からなる群より選ばれる少なくとも一種である、活動量計。
【請求項７】
請求項１乃至６いずれか一項に記載の活動量計において、
前記酸化還元色素が、インジゴカルミン、サフラニン、及びメチレンブルーのうちのいずれか１または２以上である、活動量計。
【請求項８】
請求項３に記載の活動量計において、
前記還元剤が、還元性糖類、アスコルビン酸またはその塩、イソアスコルビン酸またはその塩、ピルピン酸またはその塩、チオール類、ヒドラジン・ヒドラジド類、シュウ酸、金属ヒドリド類、ボロヒドリド類、ボラン類、シラン類、過酸化水素、水素、炭素、リン、ナトリウム、マグネシウム、亜鉛、スズ、アルミニウム、金属錯体、金属アマルガム、ヨウ化水素、硫化水素、アンモニアとその誘導体、ホスフィン、アルシン、金属の水素化物とその誘導体、一酸化炭素、二酸化硫黄、三酸化二リン、亜ヒ酸、亜リン酸、亜硝酸からなる群より選ばれる少なくとも一種である、活動量計。
【請求項９】
請求項３または８に記載の活動量計において、
前記還元剤が、グルコースまたはアスコルビン酸である、活動量計。
【請求項１０】
請求項１乃至９いずれか一項に記載の活動量計において、
前記溶媒が、水である、活動量計。
【請求項１１】
請求項１乃至１０いずれか一項に記載の活動量計において、
前記活動量検出体が、前記酸化還元色素を少なくとも２種類以上含む、活動量計。
【請求項１２】
請求項１乃至１１いずれか一項に記載の活動量計において、
前記活動量検出体が、前記第一液相から相分離し、前記第一液相中に沈殿する第一固相をさらに含む、活動量計。
【請求項１３】
請求項１乃至１２いずれか一項に記載の活動量計において、
前記活動量検出体が、前記第一液相から相分離し、前記第一液相中に浮遊する第二固相をさらに含む、活動量計。
【請求項１４】
請求項１乃至１３いずれか一項に記載の活動量計において、
前記活動量検出体が、前記第一液相から相分離する第二液相をさらに含む、活動量計。
【請求項１５】
請求項１乃至１４いずれか一項に記載の活動量計において、
前記活動量検出体の色調の変化が光センサで検知される、活動量計
【請求項１６】
請求項１乃至１５いずれか一項に記載の活動量計において、
前記外装体の内容積に対する前記活動量検出体の体積は、５０〜９９．９体積％である、活動量計。
【発明の詳細な説明】
【技術分野】
【０００１】
本発明は、活動量計に関する。
【背景技術】
【０００２】
従来の活動量計として、加速度センサを用いて人体の活動を計測するものが知られている（例えば、特許文献１）。
【０００３】
例えば、歩数計は、歩行による動加速度の変化をセンサで検知し、歩行数をカウントするものである。また、加速度センサによって運動の強さを計測することで消費カロリーを算出し、活動量を数値化することによって、日常の運動が適性であるかなどを知ることができるものも知られている。
【０００４】
なお、酸化還元色素による色調変化を利用した技術として、例えば、特許文献２記載のようなものがある。しかしながら、かかる技術を、活動量の測定のために用いることは、これまで知られていなかった。
【先行技術文献】
【特許文献】
【０００５】
【特許文献１】特開２００９−２２３７７５号公報
【特許文献２】特開２００８−１０２０７４号公報
【発明の概要】
【発明が解決しようとする課題】
【０００６】
従来の活動量計は加速度センサによって活動量を計測するものであるため、装置内に計測手段や計測結果の出力手段が必要となり、装置構成が複雑であった。また、出力手段による活動量の出力は、数値やグラフで表示するものであり、直観的に活動量を把握しにくかった。
【０００７】
本発明は上記事情に鑑みてなされたものであり、簡便かつ直観的に活動量を把握できる技術を提供する。
【課題を解決するための手段】
【０００８】
本発明によれば、
酸化還元色素および溶媒を含む第一液相を備える活動量検出体と、
酸素を含む気体と、
前記活動量検出体および前記酸素を含む気体を密閉し、前記活動量検出体を外部から視認するための視認領域が設けられた外装体と、
を備え、
活動により、前記酸化還元色素と前記酸素を含む気体とが反応し、前記活動量検出体の色調が変化する、活動量計が提供される。
【０００９】
本発明によれば、活動により、活動量検出体と酸素を含む気体とが混合状態になり、酸化還元色素が酸化されることにより、活動量検出体の色調が変化する。そして、活動量検出体の混合前の状態と混合後の状態における色調の変化を、視認領域を通して目視で確認することができるため、本発明による活動量計を使用した時の活動量を直観的に把握することができる。また、本発明によれば、活動量の測定機構を単純化することができる。したがって、簡便かつ直観的に活動量を把握することが可能になる。
【発明の効果】
【００１０】
本発明によれば、簡便かつ直感的に活動量を把握できる活動量計が提供される。
【図面の簡単な説明】
【００１１】
【図１】実施の形態に係る活動量計の一例を模式的に示した図である。（ａ）は静止状態を示し、（ｂ）は活動状態を示す。
【図２】実施の形態に係る活動量計の一例を模式的に示した図である。（ａ）は静止状態を示し、（ｂ）は活動状態を示す。
【図３】実施の形態に係る活動量計の一例を模式的に示した図である。（ａ）は静止状態を示し、（ｂ）は活動状態を示す。
【図４】実施の形態に係る活動量計の一例を模式的に示した図である。（ａ）は静止状態を示し、（ｂ）は活動状態を示す。
【図５】実施の形態に係る活動量計の一例を模式的に示した図である。（ａ）は静止状態を示し、（ｂ）は活動状態を示す。
【図６】実施の形態に係る活動量計の使用例を模式的に示した図である。（ａ）は使用前の状態を示し、（ｂ）は使用時の状態を示す。
【図７】実施の形態に係る活動量計の使用例を模式的に示した図である。
【発明を実施するための形態】
【００１２】
以下、本発明の実施の形態について、図面を用いて説明する。尚、すべての図面において、同様な構成要素には同様の符号を付し、適宜説明を省略する。また、本発明は、以下に例示する活動量計に限定されるものではない。
【００１３】
本発明の実施の形態において、活動量検出体は、いずれも活動量計の使用温度における状態を示している。使用温度とは、本発明の活動量計を使用する際の温度である。使用温度は、人や動物の生活環境における温度であればよいが、例えば、室温（２５℃）とすることができる。
【００１４】
また、本発明の実施の形態において活動量とは、活動の強度、活動時間などのうち少なくとも一つを含む概念である。
【００１５】
本発明の実施の形態において、活動量検出体の色調とは、酸化還元色素の酸化色および還元色のほか、着色剤、蛍光塗料などの添加剤、溶媒などが混在することにより視認される色調である。
また、活動量検出体または第一液相の酸化色とは、活動により酸化還元色素が酸化されることにより視認される活動量検出体または第一液相全体の色調である。一方、活動量検出体または第一液相の還元色とは、活動量計の使用前、及び使用後の静止状態において、酸化還元色素が還元された状態で視認される活動量検出体または第一液相全体の色調である。
【００１６】
本発明の実施の形態において、活動量検出体の色調の変化とは、少なくとも、酸化還元色素の酸化または還元により、活動量検出体全体の光吸収波長が変化することを含む概念である。また、さらに、光量の変化、屈折、反射、散乱などの光の特性の変化であって、視認できる変化が加わってもよい。
【００１７】
本発明の実施の形態において、外装体は、活動量検出体を密閉でき、かつ活動量検出体と反応しないものであり、少なくとも活動量検出体を外部から視認できる領域を備えるものであればよい。
【００１８】
外装体の材料としては、活動量検出体と反応しないものであれば特に限定されない。例えば、ガラス、金属、樹脂から選択される１種または２種以上が挙げられる。
透明または半透明の材料を用いた場合、全体が視認領域となり、上下左右のあらゆる方向から活動量検出体を視認することができる。一方、内部を視認できない材料を用いた場合は、透明または半透明の材料を用いて外装体の一部に視認領域を形成することが好ましい。
また、活動量検出体がアルカリ剤を含む場合は、耐アルカリ性を有するもの、耐アルカリ性ガラスとすることが好ましい。
【００１９】
外装体の材料を樹脂とした場合、樹脂製容器または樹脂フィルムを用いることができる。これにより、外装体が軽量化できる。
【００２０】
樹脂製容器としては、ポリエチレンフタレート、ＡＳ樹脂、メタクリル樹脂、塩化ビニリデン樹脂などの透明または半透明の樹脂から形成されたプラスチック容器とすることができる。
樹脂フィルムとしては、例えば、ポリエチレンフタレート、ＡＳ樹脂、メタクリル樹脂、塩化ビニリデン樹脂などの透明または半透明の樹脂フィルムとすることができる。
【００２１】
外装体の密閉空間の容積は、活動量検出体の総体積よりも大きく、具体的には、活動量検出体が、外装体の密閉空間の容積の５０〜９９．９体積％を占めることがより好ましい。
【００２２】
外装体の密閉空間に収容される活動量検出体を除いた空間には、少なくとも酸素を含む気体が含まれていればよく、酸素ガス、空気、またはこれらと窒素ガスとの混合ガスが密閉されていてもよい。
【００２３】
外装体の形状は、特に限定されないが、活動により活動量検出体と酸素とが混合しやすいものが好ましいい。例えば、円筒状、球状、円錐状、三角錐状、四角錐、または五角以上の多角錐状などが挙げられる。均一混合しやすい観点から、円筒状、球状が好ましい。
【００２４】
外装体は、蓋部と本体部とを備え、蓋部と本体部とを密着結合することで活動量検出体を収容するための密閉空間を形成してもよい。
【００２５】
＜第１実施形態＞
図１は、本発明の実施の形態に係る活動量計の一例を模式的に示す図である。図１（ａ）は活動量計１の静止状態を示し、図１（ｂ）は活動量計１の活動状態の一例を示す図である。
【００２６】
図１で示す活動量計１は、活動量検出体１０１と、酸素を含む気体として、空気１１と、活動量検出体１０１および空気１１を密閉し、活動量検出体１０１を外部から視認するための視認領域が設けられた外装体２０と、を備える。本実施形態において、活動量検出体１０１は、第一液相１０からなるものである。そして、活動により、活動量検出体１０１中の酸化還元色素と空気１１とが反応し、活動量検出体１０１の色調が変化するものである。また、装着部としてストラップ３０が外装体２０に取り付けられている。
【００２７】
本実施形態では、図１に示すように、静止状態では、活動量検出体１０１は無色透明であるが、活動状態では、酸化還元色素が酸化されることにより、活動量検出体１０１は有色となる。また、本実施形態において、活動量検出体１０１は、活動後、酸化還元色素が還元されることで活動前の色調に戻り、無色透明となる。
【００２８】
本実施形態において、第一液相１０（活動量検出体１０１）は、酸化還元色素、還元剤、アルカリ剤、増粘剤および溶媒を含む。
【００２９】
酸化還元色素とは、酸化状態と還元状態とが可逆的に変化するものであり、酸化状態と還元状態とで異なる色を呈するものである。
また、酸化還元色素は、酸化、還元の程度により、呈する色相が異なるものが好ましい。これにより、活動量の程度に応じて活動量検出体１０１が呈する色相が異なることとなるため、活動量の程度を直感的に理解し易くなる。
【００３０】
酸化還元色素としては、特に限定されず公知のものを用いることができる。例えば、チアジン系、オキザリン系、ラクトン系、サルトン系、アゾ系、インジゴイド系、アントラキノン系、トリフェニルメタン系、フェナントロリン誘導体およびこれらの混合物などが挙げられる。
【００３１】
具体的には、インジゴテトラスルホン酸、ジフェニルアミン、ジフェニルベンジジン、ジフェニルアミンスルホン酸、フェロイン、ニトロフェロイン、メチルフェロイン、ジメチルフェロイン、メチレンブルー、ガロシアニン、メチルレッド、メチルバイオレッド、チモールブルー、アントシアニン、メチルイエロー、フェノールレッド、チモールフタレイン、アザリンイエロー、アントラキノン、サフラニン、フェノサフラニン、β−カロチン、リコピン、レソルフィン、チオニン、クレシルブルー、トルイジンブルー、メチルオレンジ、リトマス、ブロムチモールブルー、カルミン、フェノールフタレン、ブリリアントブルー、ファーストグリーン、インジゴカルミン、アミノブラック、１，１０−フェナントロリン、１，７−フェナントロリン、５−フェニル、１，１０−フェナントロリン、４，７−ジメチル−１，１０−フェナントロリン、Ｎ−フェニルアントラリン酸、ナイルブルー、ナチュラルレッド、ジフェニルアミン−４−スルホン酸、２，２'−ジピリジン、２，６−ジクロロインドフェノール、３，３'−ジメチルナフチジン、Ｎ，Ｎ−ジメチル−１，４−フェニレン−ジアンモニウム、ジフェニルアミン、ジフェニルベンザジンなどのなかから選ばれた１種または２種以上の混合物が挙げられる。なかでも、インジコカルミンは色調変化を視認しやすい特徴がある。これにより、より顕著な外観の変化を得られる。また、色相が異なるものとして、サフラニン、メチレンブルーが挙げられる。これにより、色調の変化をより把握しやすくなる。
また、２種以上の混合物とすることにより、その混色も得られるため、色調の選択の幅が広がる。
【００３２】
酸化還元色素の含有量は、溶媒に対する溶解性および色調変化を視認できる観点から、第一液相１０全体に対して、０．００００１質量％〜０．２質量％が好ましく、０．０００１質量％〜０．０２質量％がより好ましい。
【００３３】
還元剤は、活動により酸化還元色素が酸化された後静止状態において、酸化還元色素を還元するために用いられる。すなわち、溶媒中に溶存する酸素による酸化還元色素の酸化作用よりも還元作用が強いと、酸化還元色素の酸化による色調変化を抑制してしまうこととなるため、第一液相１０全体において、適度な強さの還元作用とすることが好ましい。
【００３４】
還元剤としては、特に限定されず公知のものを用いることができる。例えば、還元性糖類、アスコルビン酸またはその塩、イソアスコルビン酸またはその塩、ピルピン酸またはその塩、ジチオスレイトール（ＤＤＴ）などのチオール類、ヒドラジン・ヒドラジド類、シュウ酸、金属ヒドリド類、ボロヒドリド類、ボラン類、シラン類、過酸化水素、金属錯体などが挙げられる。また、単体では、水素、炭素、リンなどの非金属、ナトリウム、マグネシウム、金属アマルガム、亜鉛、スズ、アルミニウムなどの金属、ヨウ化水素、硫化水素、アンモニアとその誘導体、ホスフィン、アルシン、金属の水素化物とその誘導体、一酸化炭素、二酸化硫黄、三酸化二リン、亜ヒ酸、亜リン酸、亜硝酸などの低級酸化物などが挙げられる。
【００３５】
還元性糖類としては、例えば、Ｄ−マルトース、Ｄ−グルコース、Ｄ−フラクトース、Ｄ−エリスロース、Ｄ−アラビノース、Ｄ−ガラクトース、Ｄ−キシロース、Ｄ−マンノース、Ｄ−ラクトースなどが挙げられる。なかでも、入手のしやすさなどの点から、Ｄ−グルコース、Ｄ−フラクトースが好ましい。還元剤として、還元性糖類を用いた場合は、その還元作用を発揮させるためにアルカリ剤を用いることが好ましい。
より簡便な方法で安定的に還元できる観点から、アスコルビン酸及びグルコースが好ましい。
【００３６】
酸化還元色素の還元作用は、上記還元剤以外にも、還元作用をもつアルカリ剤、さらに還元作用をもつ増粘剤によっても、影響を受けるため、第一液相１０全体において、適度な強さの還元作用とするため、還元剤の選択および含有量を適宜調整することが好ましい。
例えば、インジゴカルミンを用いた場合、還元剤の含有量は、第一液相１０全体に対して、０．１質量％〜１０質量％が好ましく、０．５質量％〜５質量％がより好ましいが、これに限定されない。
【００３７】
アルカリ剤は、還元性糖類の還元作用を発揮させるため等に用いられる。
【００３８】
アルカリ剤としては、溶媒と接触してｐＨ８以上になるものであればいずれでもよく、特に限定されず公知のものを用いることができる。例えば、水酸化ナトリウム、水酸化カリウム、水酸化カルシウム、水酸化マグネシウム、水酸化リチウム、炭酸ナトリウム、炭酸カリウム、炭酸カルシウム、炭酸マグネシウム、炭酸リチウム、炭酸水素ナトリウム、炭酸水素カリウム、炭酸水素カルシウム、酢酸ナトリウム、酢酸カリウム、酒石酸カリウムナトリウム、２−エチルヘキサン酸カリウム、リン酸ナトリウム、リン酸カリウム、リン酸水素ナトリウム、リン酸水素カリウムなどの水酸化物、炭酸塩、炭酸水素塩、カルボン酸塩、などから選ばれる１種または２種以上が挙げられる。なかでも、安定性の点から、アルカリ金属の水酸化物、アルカリ土類金属の水酸化物が好ましく、水酸化ナトリウム、炭酸ナトリウム、及び水酸化マグネシウムがより好ましい。
【００３９】
アルカリ剤の含有量は、第一液相１０全体に対して、０．１質量％〜１０質量％が好ましく、１質量％〜５質量％がより好ましい。または、還元剤１００質量部に対して、１０質量部〜５００質量部が好ましく、５０質量部〜２００質量部がより好ましい。
【００４０】
増粘剤は、第一液相１０の粘度を調整するために用いられる。これにより、活動による混合状態へのなりやすさや混合状態から元の状態に戻るまでの時間などを調整でき、活動量の強度などに応じて活動計１を設計できるようになる。
【００４１】
増粘剤としては、特に限定されず公知のものを用いることができる。例えば、カルボキシメチルセルロース（ＣＭＣ）、メチルセルロース（ＭＣ）などのセルロース誘導体、タンパク質系、グリセロールなどの多糖類などの天然系およびその誘導体、ポリアクリルアミド類、ポリビニルアルコールなど、およびこれらを組み合わせた合成系が挙げられる。
【００４２】
溶媒は、酸化還元色素の酸化還元反応に影響せず、酸化還元色素を溶解し均一なものとするものであればよい。例えば、水、アルコール、ケトン、エステルが挙げられ、安全性の観点から、水、アルコールおよびこれらの混合物が好ましく、コストを低減する観点から、水がより好ましい。
【００４３】
第一液相１０は、上記以外にも、着色剤、蛍光塗料、安定剤などの各種添加剤を用いることができる。着色剤を用いることにより、色調の変化をさらに多様化でき設計の自由度が広がる。また蛍光塗料を用いることにより、色調の変化がより顕著となるとともに周囲が暗い場合でも色調の変化を把握できるようになる。また、安定剤を用いることにより、酸化還元色素による酸化反応、還元反応がより安定し、より長期に亘り活動量計１を使用できるようになる。
【００４４】
空気１１は、酸化還元色素を酸化させるために用いられる。外装体２０内に、活動量検出体１０１とともに密閉されたものでもよい。
【００４５】
本実施形態において、外装体２０は、透明な樹脂容器から形成され、全体が視認領域となっている。内部に活動量検出体１０１、および空気１１を密閉している。
【００４６】
本実施形態において、活動量検出体１０１は、外装体２０の密閉空間の容積の７５体積％程度を占めている。これにより、活動時における振動により活動量検出体１０１が外装体２０の密閉空間を容易に移動でき、活動量の程度に応じて活動量検出体１０１の色調を顕著に変化させることができる。
【００４７】
外装体２０の形状は、上下が半球状、胴体部が円筒状であり、上下、左右で対称的になっている。これにより、酸化還元色素と空気１１とが活動により反応しやすくなる。
【００４８】
ストラップ３０は、外装体２０に固定され、例えば、金属、天然または合成皮、合成樹脂、天然繊維または化学繊維で織られた布等から形成させることができる。
【００４９】
なお、上記実施形態では、還元剤により、酸化還元色素が還元される例について説明したが、還元剤を用いる代わりに、電気化学的に酸化還元色素を還元してもよい。例えば、ＩＴＯ（酸化インジウム・スズ）電極を用いて、酸化還元色素が十分に還元できる電圧（ｖｓ．Ａｇ／ＡｇＣｌ）を印加することで酸化された酸化還元色素を還元してもよい。この場合、酸化還元色素を含む液体は薄層中にあることが好ましい。これにより、すべての酸化還元色素を還元することができる。
【００５０】
また、さらに、活動量計１は、混合状態になることで生じる活動量検出体１０１の色調の変化を光センサで検知してもよい。外装体２０の視認領域に光センサを設置することで、活動量検出体１０１が活動により混合状態になることで生じる色調の変化を検知することができる。これにより、活動量検出体１０１のわずかな色調の変化でも検知することができるとともに、変化量を測定し数値化したり、静止状態から任意の色調になるまでの時間を計測することで活動の強度を数値化したり、活動量検出体１０１の任意の色調が保たれている時間を計測することで活動時間を算出することなどができる。また、活動量検出体１０１のわずかな色調の変化を検知することで、静止状態か否かを把握する目的に用いることもできる。光センサとしては、特に限定されず、公知のものを用いることができる。
【００５１】
＜第１実施形態の製造例＞
以下、本実施形態における活動量計の製造方法の一例について説明する。
溶媒に、酸化還元色素、還元剤、アルカリ剤を混合し、溶解した第一液相１０（活動量検出体１０１）を用意する。これに、必要に応じて着色剤や増粘剤を添加し、光の吸収波長、および、粘度を調整してもよい。つづいて、本体部と蓋部とを備えた外装体２０の密閉空間の５０〜９９．９体積％を活動量検出体１０１が占めるように、本体部に活動量検出体１０１を収容し、空気とともに、蓋部により密閉し、本体部と蓋部とを接着剤などで結合する。このとき、本体部の口部には、蓋部をはめ込むための溝が形成されていると、本体部と蓋部とを結合しやすく好ましい。その後、ストラップ３０を外装体２０に取り付けて活動量計１を完成させる。
【００５２】
＜第１実施形態の使用例＞
以下、活動量計１の使用方法の一例について説明する。
図１は、実施の形態に係る活動量計の一例を模式的に示した図である。（ａ）は静止状態を示し、（ｂ）は活動状態を示す。
第１の使用例として、ストラップ３０を使用者の首からかけて、活動量を検出する方法がある。使用者が活動することにより、活動量計１が振動し、活動量検出体１０１と空気１１とが混合状態となり、活動量検出体１０１中の酸化還元色素は空気１１により酸化される。これにより、活動前は、活動量検出体１０１の還元色が視認されていたのに対し、活動時、および活動直後には、活動量検出体１０１の酸化色が視認されることになる。これにより、活動の有無を活動量検出体１０１の色調の変化により確認することができるため、直感かつ簡便に活動量を把握できる。
【００５３】
一方、第２の使用例として、活動したくない場合、例えば、スポーツなどにおいて体軸を動かしたくない場合、後述するクリップ３２（図７参照）を用いて、体軸とする部分に活動量計１を装着することで、体軸を動かさずに活動できたかどうかを把握することができる。
【００５４】
第３の使用例として、ストラップ３０を使用者の首からかけて、活動の強度を検出する方法がある。すなわち、酸化還元色素の酸化の程度による光の吸収波長の違いを利用し、活動量検出体１０１の色調の変化を測定し、これを活動の強度として算出する。そこで、あらかじめ、縦方向、横方向、あるいは三次元方向への振動の大きさにより活動量検出体１０１の光の吸収波長がどのように変化するかを測定しておき、これを基準として、使用時の活動量検出体１０１の光の吸収波長と比較することで、活動量の程度をより具体的に把握することができる。
例えば、あらかじめ、振動の大きさによって活動量検出体１０１の外観を「大」、「中」、「小」の３つに分類してそれぞれ画像データを用意し、使用時における活動量検出体１０１の外観とこれら３つの画像データとを対比することで、使用時における活動量が「大」、「中」、「小」のいずれに該当するかを把握することができる。
【００５５】
また、還元剤を用い自然放置しておいた場合、活動量検出体１０１が酸化色から還元色に戻るまでの時間を測定し、予め活動量に応じて時間を分類しておく。これにより、活動量検出体１０１が酸化色から還元色になるまでの時間を測定することにより、活動量を把握することもできる。
【００５６】
なお、本実施形態の使用例では、活動量計１の装着部としてストラップ３０が外装体２０に取り付けられ、ストラップ３０を使用者の首からかけて使用する例について説明したが、これに限られない。以下、使用例の変形例について説明する。
【００５７】
＜第１実施形態の使用例の変形例１＞
例えば、図６に示すように、装着部としてバンド３１が外装体２０に取り付けられ、バンド３１を使用者の腕に装着してもよい。図６（ａ）は使用前における活動量計６を示し、図６（ｂ）は活動量計６の使用状態を示す図である。
【００５８】
外装体２０は、少なくともバンド３１と接していない露出した領域が視認領域であればよい。
【００５９】
バンド３１は、例えば、天然繊維若しくは化学繊維で織られた布から形成させることができる。バンドの両端は、両端同士を止めるための留め具や接着テープを備えることが好ましい。
【００６０】
活動量計６は、図６（ｂ）で示すように腕に巻き付けて使用してもよいし、頭や脚に巻き付けて使用してもよい。これにより活動を妨げることなく活動量を把握できるため好ましい。
【００６１】
＜第１実施形態の使用例の変形例２＞
例えば、図７に示すように、装着部としてクリップ３２が外装体２０に取り付けられ、クリップ３２を使用者の衣服に装着してもよい。
【００６２】
クリップ３２は、例えば、プラスチックなどの樹脂から形成させることができる。
【００６３】
活動量計７は、クリップ３２を有するため、ベルトやポケットなど衣服に取り付けて使用することができる。これにより活動を妨げることなく活動量を把握できるため好ましい。
【００６４】
なお、装着部がない場合は、活動量計１本体を、衣服のポケットに入れたり、携帯するカバンの中に入れて使用してもよい。
【００６５】
＜第２実施形態＞
図２は、本発明の実施の形態に係る活動量計の一例を模式的に示す図である。図２（ａ）は活動量計２の静止状態を示し、図２（ｂ）は活動量計２の活動状態の一例を示す図である。
第１実施形態では、活動量検出体１０１が、第一液相１０からなる例について説明したが、第２実施形態では、活動量検出体１０２が、第一液相１０から相分離し、第一液相１０中に沈殿する固相１２をさらに含む例について説明する。以下、活動量計１とは異なる点のみを説明し、活動量計１と同様な説明は省略する。
【００６６】
本実施形態において、活動量検出体１０２は、第一液相１０から相分離し、第一液相１０中に沈殿する固相１２を含む。
固相１２は、第一液相１０の比重よりも大きく、活動前の静止状態において、第一液相１０中に固相１２が沈殿し、活動時には第一液相１０中に分散する。固相１２は、活動の前後において、視認できる。
【００６７】
本実施形態では、図２に示すように、静止状態では、無色透明の第一液相１０中に無色透明の固相１２が沈殿し、活動状態では、酸化還元色素が酸化されることにより、第一液相１０は有色となるとともに、固相１２が活動量検出体１０２中に拡散している様子を視認できる。これにより、活動前後において、活動量検出体１０２の外観を顕著に変化させることができ、より簡便に活動量を把握することができる。
【００６８】
固相１２は、粒子を含むことが好ましく、粒子を主成分とすることがより好ましい。固相１２全体に対して、粒子の含有量は５０質量％以上が好ましく、６０質量％以上がより好ましく、７０質量％以上含むことが更に好ましい。
【００６９】
粒子は、溶媒に溶解するものであっても、溶解しないものであってもよいが、粒子が溶媒に溶解するものであるときは、過飽和状態になるまで溶媒に粒子を加える。こうすることで溶媒から粒子が析出し、溶媒から相分離した固相１２が形成される。
【００７０】
粒子は、無機物であってもよいし、有機物であってもよいが、例えば、塩化ナトリウムなどの無機粒子、炭素粒子、金属粒子、並びに樹脂粒子から選択される１または２以上用いることができる。
【００７１】
粒子の形状は限定されず、球状、星形状、多角形状、針状、繊維状などでもよく、これらを１種または２種以上用いてもよい。さらに、粒子の色彩、模様などは特に限定されないため、設計の自由度が広がり、活動量検出体１０２の色調の変化を多様化できる。
粒子の大きさは平均粒径が０．００１〜１０００μｍのものが好ましい。
【００７２】
活動量検出体１０２中の固相１２の割合は、０．１〜９９．９質量％が好ましい。
【００７３】
＜第２実施形態の製造例＞
以下、本実施形態における活動量計の製造方法の一例について説明する。
上記実施形態と同様にして、溶媒に、酸化還元色素、還元剤、アルカリ剤を混合し、溶解した活動量検出体１０２を用意し、これに、固相１２が活動量検出体１０２の０．１〜９９．９質量％を占めるように加える。その他は、上記実施形態と同様にして、活動量計２を完成させる。
【００７４】
＜第２実施形態の使用例＞
以下、活動量計２の使用方法の一例について説明する。
図２は、実施の形態に係る活動量計の一例を模式的に示した図である。（ａ）は静止状態を示し、（ｂ）は活動状態を示す。
上記実施形態と同様にして、ストラップ３０を使用者の首からかけて、活動量を検出する方法がある。使用者が活動することにより、活動量計２が振動し、活動量検出体１０２と空気１１とが混合状態となり、活動量検出体１０２中の酸化還元色素は空気１１により酸化される。また、さらに、固相１２が、活動量検出体１０２中に拡散し、外観に大きな変化を与えることができる。これにより、活動の有無を活動量検出体１０２の色調の変化および固相１２の拡散により確認することができるため、より顕著な色調の変化が得られる。
【００７５】
上記実施形態では、固相１２が無色透明である例について説明したが、固相１２は、着色剤を加え、有色としてもよい。第一液相１０の酸化色、還元色の双方または一方と異なる光の吸収波長となるように調整してもよい。また、固相１２は、蛍光塗料を加え、発光するものとしてもよい。これにより、活動による固相１２の変動が、より顕著に把握できるようになる。
【００７６】
＜第３実施形態＞
図３は、本発明の実施の形態に係る活動量計の一例を模式的に示す図である。図３（ａ）は活動量計３の静止状態を示し、図３（ｂ）は活動量計３の活動状態の一例を示す図である。
第２実施形態では、固相１２が第一液相１０中に沈殿し、活動の前後において視認できる例について説明したが、第３実施形態では、固相１３が浮遊し、活動後において視認しにくくなる例について、説明する。以下、活動量計２とは異なる点のみを説明し、活動量計２と同様な説明は省略する。
【００７７】
本実施形態において、活動量検出体１０３は、第一液相１０から相分離し、第一液相１０中に浮遊する固相１３を含む。固相１３は、使用温度における静止状態および活動時において、第一液相１０中に浮遊する。
【００７８】
本実施形態では、図３に示すように、静止状態では、無色透明の活動量検出体１０３中に固相１３が浮遊し、活動状態では、酸化還元色素が酸化されることにより、活動量検出体１０３は有色となるとともに、固相１３が浮遊している様子を視認しにくくなる。これにより、活動前後において、固相１３に着目することで、活動量を把握できるようになる。
【００７９】
固相１３の形状は、特に限定されない。本実施形態では、舟形の例について説明するが、球状、星形状、多角形状、及び生物、乗物など有体物をイメージした形状などであってもよい。より具体的には、舟形、イルカ、クジラ、魚などの海洋生物をイメージした形状などが挙げられる。固相１３は、単数または複数であってもよく、形状、色彩、模様、大きさなどの異なるものを組み合わせたものであってもよい。
【００８０】
第一液相１０は、光学的に透明性があり、活動前の状態において、固相１３が視認できればよいが、視認しやすくなることから、透明度、明度が高いほど好ましい。
【００８１】
本実施形態において、固相１３は、第一液相１０の酸化色と同じ色調、もしくは第一液相１０の酸化色よりも薄い色調であるため、活動後において視認しにくくなる。
【００８２】
＜第３実施形態の使用例＞
以下、活動量計３の使用方法の一例について説明する。
図３は、実施の形態に係る活動量計の一例を模式的に示した図である。（ａ）は静止状態を示し、（ｂ）は活動状態を示す。
上記実施形態と同様にして、ストラップ３０を使用者の首からかけて、活動量を検出する方法がある。使用者が活動することにより、活動量計３が振動し、活動量検出体１０３と空気１１とが混合状態となり、活動量検出体１０３中の酸化還元色素は空気１１により酸化する。活動量検出体１０３の酸化色と固相１３の色調は、同様であるため、活動により、活動量検出体１０３中の固相１３が、視認しにくくなる。これにより、固相１３に着目することで活動量の把握ができるようになる。
【００８３】
上記実施形態では、固相１３が、活動後において視認しにくくなる例について説明したが、逆であってもよい。すなわち、第一液相１０の還元色と同じ色調とし、第一液相１０の酸化色よりも薄い色調とすることで、活動前は視認しにくいのに対し、活動後によって視認されるように酸化還元色素、および着色剤などを選択して設計してもよい。
【００８４】
＜第４実施形態＞
図４は、本発明の実施の形態に係る活動量計の一例を模式的に示す図である。図４（ａ）は活動量計４の静止状態を示し、図４（ｂ）は活動量計４の活動状態の一例を示す図である。
【００８５】
第２実施形態では、活動量検出体１０２が、第一液相１０から相分離し、第一液相１０中に沈殿する固相１２を含む例について説明したが、本実施形態では、固相１２ではなく、第一液相１０から相分離する第二液相１４を含む例について説明する。以下、活動量計２とは異なる点のみを説明し、活動量計２と同様な説明は省略する。
【００８６】
本実施形態は、使用温度における静止状態において、活動量検出体１０は、上層に第一液相１０から相分離する第二液相１４、下層に第一液相１０を含んでいる。すなわち、本実施形態において、第二液相１４は、第一液相１０の比重よりも小さくなっている。これにより、第二液相１４は、静止状態においては活動量検出体１０の上層に位置し、活動時には第一液相１０とともに均一混合されるとともに、活動後、静止状態において、再び二層に分離できる。このため、活動時において、活動量検出体１０４は、第一液相１０の酸化色と、第二液相１４の色調とが混合した色調となり、活動量検出体１０４の色調の変化をより多彩にできる。
【００８７】
本実施形態において、第一液相１０の主成分を水とし、第二液相１４の主成分を、活動量計４の使用温度において水より比重の小さい有機流体とすることができる。
【００８８】
有機流体の含有量は、第二液相１４に対して、５０質量％以上が好ましく、６０質量％以上がより好ましく、７０質量％以上が更に好ましい。また、有機流体の比重は、活動量計４の使用温度において水の比重に対して、０．９９倍以下が好ましく、０．９５倍以下がより好ましい。
【００８９】
有機流体は、使用温度において液体またはゲルの有機物であり、界面活性剤、および油を含み、さらに低分子有機化合物、樹脂を含んでもよい。例えば、脂肪族または芳香族炭化水素、ハロゲン化アルキル、脂肪族または芳香族エーテル、脂肪族または芳香族エステル、脂肪族または芳香族アルコール、脂肪族または芳香族ケトン、脂肪族または芳香族カルボン酸、および脂肪族または芳香族アミンから選択される、水より比重の小さい、１または２以上の化合物が挙げられる。
【００９０】
第二液相１４の体積は、第一液相１０の体積の０．５〜２倍が好ましく、良好な混合状態を得る観点から、互いの体積が実質的に同じであることがより好ましい。
【００９１】
第二液相１４は、着色剤を加えて第一液相１０の酸化色、還元色の双方または一方と異なる光の吸収波長となるように調整してもよい。また、増粘剤を加えて粘度を調整してもよい。さらに、蛍光塗料を加え、発光するものとしてもよい。
【００９２】
＜第４実施形態の使用例＞
以下、活動量計４の使用方法の一例について説明する。
図４は、実施の形態に係る活動量計の一例を模式的に示した図である。（ａ）は静止状態を示し、（ｂ）は活動状態を示す。
上記実施形態と同様にして、ストラップ３０を使用者の首からかけて、活動量を検出する方法がある。使用者が活動することにより、活動量計４が振動し、第一液相１０と空気１１とが混合状態となると同時に、第二液相１４とも混合状態になる。そのため、活動量検出体１０４は、第一液相１０の酸化色と、第二液相１４の色調とが混合した色調となる。これにより、活動量検出体１０４の色調の変化が多様化できる。
【００９３】
上記実施形態では、第一液相１０が下層、第二液相１４が上層である例を挙げて説明したが、第二液相１４は第一液相１０の下層であってもよい。この場合、第二液相１４の主成分である有機流体は、第一液相１０よりも比重が大きいものとする。
【００９４】
上記実施形態では、活動量検出体１０４が、第一液相１０、第二液相１４の二層を含む例を挙げて説明したが、活動量検出体は、これらの液相と分離する他の液相をさらに含み、三層以上としてもよい。
【００９５】
＜第５実施形態＞
図５は、本発明の実施の形態に係る活動量計の一例を模式的に示す図である。図５（ａ）は活動量計５の静止状態を示し、図５（ｂ）は活動量計５の活動状態の一例を示す図である。
【００９６】
第２実施形態では、第一液相１０から相分離する固相１２を含む例について説明し、第４実施形態では、第一液相１０から相分離する第二液相１４を含む例について説明したが、本実施形態では、これらを組み合わせた例について説明する。以下、活動量計２、４とは異なる点のみを説明し、活動量計２、４と同様な説明は省略する。
【００９７】
本実施形態は、使用温度における静止状態において、活動量検出体１０５は、上層に第二液相１４、下層に第一液相１０を含み、さらに第一液相１０中に固相１２が沈殿している。活動前は、第一液相１０は無色透明、第二液相１４は有色、固相１２は無色透明であり、活動により、活動量検出体１０５は、第一液相１０は有色となり、第一液相１０の酸化色と第二液相１４の色調とが混合した色調となる。これに加え、固相１２の拡散による活動量検出体１０５の色調の変化が生じる。
【００９８】
＜第５実施形態の使用例＞
以下、活動量計５の使用方法の一例について説明する。
図５は、実施の形態に係る活動量計の一例を模式的に示した図である。（ａ）は静止状態を示し、（ｂ）は活動状態を示す。
上記実施形態と同様にして、ストラップ３０を使用者の首からかけて、活動量を検出する方法がある。使用者が活動することにより、活動量計５が振動し、活動量検出体１０５と空気１１とが混合状態となると同時に、固相１２および第二液相１４とも混合状態になる。そのため、活動量検出体１０５は、第一液相１０の酸化色と、第二液相１４の色調とが混合した色調に加え、固相１２の拡散による色調の変化を呈することとなる。これにより、活動量検出体１０５の色調の変化がより多彩にできる。
【００９９】
以上、図面を参照して本発明の実施形態について述べたが、これらは本発明の例示であり、上記以外の様々な構成を採用することもできる。また、上記実施形態で述べた活動量検出体と装着部との組み合わせ以外の組み合わせをしても構わない。また、活動量検出体の酸化色及び還元色と、他の液相、固相の色との組合せ、発光の有無との組合せも、本発明の効果を損なわない範囲で、自由に設計できる。
【実施例】
【０１００】
以下、実施例を用いて本発明をより具体的に説明する。ただし、本発明は以下の実施例に限定されるものではない。
【０１０１】
＜実施例＞
表１に示す配合で各成分を混合し、活動量検出体を作成した。
つづいて、本体部と蓋部とを備えた透明の樹脂製容器を用意し、活動量検出体が外装体の密閉空間の８０体積％を占めるように、本体部に収容し、その後、空気とともに、本体部に蓋部を取り付け本体部と蓋部とを接着剤で結合し密閉した。さらに、外装体にストラップを取り付けて活動量計を完成させた。
得られた活動量計のストラップをモニターが首からかけてジャンプした。これを繰り返した。活動量検出体の活動前、活動直後、活動後静止状態における外観について目視で観察し、以下のように評価した。結果を表１に示した。
【０１０２】
＜評価方法＞
・活動量
「小」ジャンプを２０〜５０回繰り返した。
「大」ジャンプを１００〜２００回繰り返した。
【０１０３】
【表１】
2015077195.tif 000003
【符号の説明】
【０１０４】
１    活動量計
２    活動量計
３    活動量計
４    活動量計
５    活動量計
６    活動量計
７    活動量計
１０    第一液相
１１    空気
１２    固相
１３    固相
１４    第二液相
２０    外装体
３０    ストラップ
３１    バンド
３２    クリップ
１００    還元剤
１０１    活動量検出体
１０２    活動量検出体
１０３    活動量検出体
１０４    活動量検出体
１０５    活動量検出体
【図１】
2015077195.tif 000004
【図２】
2015077195.tif 000005
【図３】
2015077195.tif 000006
【図４】
2015077195.tif 000007
【図５】
2015077195.tif 000008
【図６】
2015077195.tif 000009
【図７】
2015077195.tif 000010